(57)【要約】      （修正有）【課題】野菜のように太さや、厚みのある被切断物を切断する際に、被切断物がはさみの先端側に移動することを規制し、効率よく切断を行うことができるはさみを提供する。【解決手段】一対の切刃２を摺り合わせて被切断物を切断するはさみ１であって、切断時に被切断物がはさみ１の先端から外れる側へ移動することを規制するストッパ７が切刃２の先端側に形成されるように、一対の切刃２の少なくとも一方の刃側縁部に凹部６を設けた。【選択図】図１
2005152230.tif 000002
【特許請求の範囲】
【請求項１】
一対の切刃を摺り合わせて被切断物を切断するはさみであって、切断時に被切断物がはさみの先端から外れる側へ移動することを規制するストッパを、前記一対の切刃の少なくとも一方の先端部に設けたことを特徴とする被切断物のストッパ付はさみ。
【請求項２】
一対の切刃を摺り合わせて被切断物を切断するはさみであって、切断時に被切断物がはさみの先端から外れる側へ移動することを規制するストッパが前記切刃の先端側に形成されるように、前記一対の切刃の少なくとも一方の刃側縁部に凹部を設けたことを特徴とする被切断物のストッパ付はさみ。
【請求項３】
一対の切刃を摺り合わせて被切断物を切断するはさみであって、切断時に被切断物がはさみの先端から外れる側へ移動することを規制するストッパが前記切刃の先端側に形成されるように、前記一対の切刃の少なくとも一方の刃側縁部に凹部を設け、当該凹部の形状は、切刃の基端側の深さが浅く、先端側に行くに従って深くなった形状であることを特徴とする被切断物のストッパ付はさみ。
【請求項４】
一対の切刃を摺り合わせて被切断物を切断するはさみであって、切断時に被切断物がはさみの先端から外れる側へ移動することを規制するストッパが前記切刃の先端側に形成されるように、前記一対の切刃の少なくとも一方の刃側縁部に凹部を設け、当該凹部の形状は、切刃の基端側の深さが深く、先端側に行くに従って浅くなった形状であることを特徴とする被切断物のストッパ付はさみ。
【請求項５】
一対の切刃を摺り合わせて被切断物を切断するはさみであって、切断時に被切断物がはさみの先端から外れる側へ移動することを規制するストッパを、前記一対の切刃の少なくとも一方の先端部に設けるとともに、前記一対の切刃は、被切断物に切刃が接するときに刃側縁部同士が略平行となるように刃側縁部の先端側を屈曲させたことを特徴とする被切断物のストッパ付はさみ。
【請求項６】
一対の切刃は、一方の切刃に数珠繋ぎ状に連通する複数のピン孔を設け、他方の切刃に設けたピンを前記連通する複数のピン孔へ、当該複数のピン孔間を移動可能に挿通してピン留めし、当該ピンを支点として、それぞれの切刃を回動可能で、切断物に切刃が接するときに刃側縁部同士が略平行になるようにしたことを特徴とする請求項５記載の被切断物のストッパ付はさみ。
【発明の詳細な説明】
【技術分野】
【０００１】
この発明は、例えば、野菜のように太さや、厚みのある被切断物を切断する際に、被切断物がはさみの先端側に移動することを規制し、効率よく切断を行うことができるはさみに関する。
【背景技術】
【０００２】
従来、一対の刃体の一方には回転可能に支持された円形の回転刃を設け、他方の畑には前記回転刃に対して固定刃を設けたことを特徴とし、枝や果実の柄などの被切断物が逃げないはさみが提案されている（特開２００３−１１７２６５号公報）。
【特許文献１】特開２００３−１１７２６５号公報
【発明の開示】
【発明が解決しようとする課題】
【０００３】
前記従来のはさみ（特開２００３−１１７２６５号公報）は、フック部に引っかかって枝や果物の柄などの被切断物が逃げない構造となっているが、刃体の一方が円形の回転刃となっており、被切断物が太いもの、例えば、ねぎやゴボウ等の野菜を切断するのは困難であるという問題点があった。
【課題を解決するための手段】
【０００４】
この発明の被切断物のストッパ付はさみは、一対の切刃を摺り合わせて被切断物を切断するはさみであって、切断時に被切断物がはさみの先端から外れる側へ移動することを規制するストッパを、前記一対の切刃の少なくとも一方の先端部に設けたことを特徴とする被切断物のストッパ付はさみである（請求項１）。
【０００５】
また、他の発明は、一対の切刃を摺り合わせて被切断物を切断するはさみであって、切断時に被切断物がはさみの先端から外れる側へ移動することを規制するストッパが前記切刃の先端側に形成されるように、前記一対の切刃の少なくとも一方の刃側縁部に、凹部を設けたことを特徴とする被切断物のストッパ付はさみである（請求項２）。
【０００６】
さらに他の発明は、一対の切刃を摺り合わせて被切断物を切断するはさみであって、切断時に被切断物がはさみの先端から外れる側へ移動することを規制するストッパが前記切刃の先端側に形成されるように、前記一対の切刃の少なくとも一方の刃側縁部に、凹部を設け、当該凹部の形状は、切刃の基端側の深さが浅く、先端側に行くに従って深くなった形状であることを特徴とする被切断物のストッパ付はさみであり（請求項３）、一対の切刃を摺り合わせて被切断物を切断するはさみであって、切断時に被切断物がはさみの先端から外れる側へ移動することを規制するストッパが前記切刃の先端側に形成されるように、前記一対の切刃の少なくとも一方の刃側縁部に凹部を設け、当該凹部の形状は、切刃の基端側の深さが深く、先端側に行くに従って浅くなった形状であることを特徴とする被切断物のストッパ付はさみである（請求項４）。
【０００７】
また、一対の切刃を摺り合わせて被切断物を切断するはさみであって、切断時に被切断物がはさみの先端から外れる側へ移動することを規制するストッパを、前記一対の切刃の少なくとも一方の先端部に設けるとともに、前記一対の切刃は、被切断物に切刃が接するときに刃側縁部同士が略平行となるように刃側縁部の先端側を屈曲させたことを特徴とする被切断物のストッパ付はさみである（請求項５）。
【０００８】
ここで、一対の切刃は、一方の切刃に数珠繋ぎ状に連通する複数のピン孔を設け、他方の切刃に設けたピンを前記連通する複数のピン孔へ、当該複数のピン孔間を移動可能に挿通してピン留めし、当該ピンを支点として、それぞれの切刃を回動可能で、切断物に切刃が接するときに刃側縁部同士が略平行になるようにした構成とすることができる（請求項６）。
【発明の効果】
【０００９】
この発明の被切断物のストッパ付はさみは、切断時に被切断物がはさみの先端から外れる側へ移動することを規制するストッパを、前記一対の切刃の少なくとも一方の先端部に設け、又は、切断時に被切断物がはさみの先端側へ移動することを規制するストッパが前記切刃の先端側に形成されるように、前記一対の切刃の少なくとも一方の刃側縁部に、凹部を設けたので、被切断物が、例えば、ねぎやゴボウ等の棒状で切断部分の断面形状が略円形であり、厚みのあるものであっても被切断物が移動することなく、効率よく切断することができる。
【００１０】
また、前記凹部の形状は、切刃の基端側の深さが浅く、先端側に行くに従って深くなった形状、または切刃の基端側の深さが深く、先端側に行くに従って浅くなった形状としたので、被切断物の特性（例えば、形状や変形のし易さ等）に応じて最適なはさみを使用して容易に切断することができる。
【００１１】
また、一対の切刃は、被切断物に切刃が接するときに刃側縁部同士が略平行となるように刃側縁部の先端側を屈曲させたので、はさみの先端で切断作業をする際の作業性が向上するという効果がある。
【００１２】
さらに、一対の切刃は、一方の切刃に数珠繋ぎ状に連通する複数のピン孔を設け、他方の切刃に設けたピンを前記連通する複数のピン孔へ、当該複数のピン孔間を移動可能に挿通してピン留めしたので、はさみ先端部を略平行に保ったまま太さ、厚さの異なる被切断物に対応することができる。
【発明を実施するための最良の形態】
【００１３】
この発明のはさみは、一対の切刃を摺り合わせて被切断物を切断するはさみであって、切断時に被切断物がはさみの先端から外れる側へ移動することを規制するストッパを、前記一対の切刃の少なくとも一方の先端部に設けたことを特徴とする被切断物のストッパ付はさみである。
【００１４】
はさみの形態は、通常のはさみと同様に、刃部を備えた切刃を先端側に形成し、基端側に把手を備えた一対の柄を支点で交差させ、当該一対の柄を開閉し摺り合わせて切断する形態である。
【００１５】
通常、このような形態のはさみは、柄がＶ字状に交差し、切断時には、このＶ字状に交差した柄（切刃）の間隔が狭まる。このため、被切断物が固い棒体のような場合は、柄（切刃）の間隔が狭まるに連れて、被切断物が、はさみの先端側に滑って移動し、うまく切断できないことがある。
【００１６】
そこでこの発明のはさみでは、被切断物がはさみの先端から外れる側へ移動することを規制するストッパを、一対の切刃の少なくとも一方の先端部に設けた構成とする。ストッパは、一対の切刃の両方に設けても良いし、一対の切刃のどちらか一方に設けても良い。
【００１７】
このようなストッパは、切刃の刃側縁部に凹部を設けることによって形成することができる。
【００１８】
図示のように凹部を設ければ、当該凹部で被切断物がはさみの先端から外れる側へ移動することを規制でき、被切断物の切断が容易となる。
【００１９】
凹部の深さを変えれば、太い被切断物、厚い被切断物にも対応することができる。
【００２０】
凹部の形状は、切刃の基端側の深さが浅く、先端側に行くに従って深くなった形状としたり、切刃の基端側の深さが深く、先端側に行くに従って浅くなった形状としたりすることができる。
【００２１】
凹部の形状を切刃の基端側の深さが浅く、先端側に行くに従って深くなった形状とすれば、はさみを閉じるときの切刃の間隔は、通常のはさみと同様に基端側が狭く、先端側が広くなり（Ｖ字状）、被切断物も切刃の基端側に接する側から徐々に切断させる。
【００２２】
凹部の形状を切刃の基端側の深さが深く、先端側に行くに従って浅くなった形状とすれば、はさみを閉じるときに刃側縁部が平行に近い形で移動することができ、切刃の開閉に伴って被切断物がはさみの先端側へ押し出される作用を規制し、効率的に切断することができる。
【００２３】
このように凹部の形状を切刃の基端側の深さが深く、先端側に行くに従って浅くなった形状として切刃を傾斜させた場合、切刃の傾斜角度を大きくすれば、通常のはさみとは異なり、はさみを閉じるときの切刃の間隔は、先端側から狭くなるようにすることができる。切刃の間隔が先端側から狭くなると、被切断物は、はさみの基端側へ押されることになるので、切断時に被切断物が、はさみの先端から外れるおそれが少ない。
【００２４】
さらに、はさみの傾斜角度は、図７図示のように、被切断物（例えば紙）に切刃が接したとき（把手４、４が完全には閉じていない状態のとき）に、被切断物に接する切刃の刃側縁部同士が略平行となるように刃側縁部の先端側を屈曲することができる。
【００２５】
このようにしても、切刃の開閉に伴って被切断物がはさみの先端側へ押し出される作用を規制し、効率的に切断することができる。
【００２６】
また、一対の切刃は、一方の切刃に数珠繋ぎ状に連通する複数のピン孔を設け、他方の切刃に設けたピンを前記連通する複数のピン孔へ、当該複数のピン孔間を移動可能に挿通してピン留めし、当該ピンを支点として、それぞれの切刃を回動可能とした構成（スリップジョイント）とすることができる。
【００２７】
このような構成は、プライヤーやペンチなどでは見られる構成であるが、切刃の刃側縁部同士が略平行となるように刃側縁部の先端側を屈曲したことと相俟って、刃側縁部を略平行に保ちつつ、太さ、厚さの異なる被切断物に対応することができる。
【実施例１】
【００２８】
以下、この発明の実施例について、図１、図２を参照しつつ説明する。
【００２９】
この発明のはさみ１は、一対の切刃２、２を摺り合わせて被切断物を切断するはさみである。切刃２は、柄３の先端側に形成され、柄３の基端側は把手４となっている。一対の柄３、３は、交差させ、ピン５によってそれぞれ回動可能に連結されている。
【００３０】
切刃２、２にはそれぞれ刃側縁部に凹部６、６が設けてあり、これにより柄３、３の先端部にストッパ７、７が形成されている。
【００３１】
凹部６の形状は、柄３の基端側３ａが浅く、先端側３ｂに行くに従って深くなった形状である。
【００３２】
図２は、はさみ１を閉じた状態の図であるが、一対の切刃２、２は凹部６、６においても完全に重なるようにして、被切断物を完全に切断するようになっている。
【００３３】
以上のように構成したはさみ１は、被切断物（例えば、ねぎ）を凹部６、６にあてがい、通常のはさみと同様に把手４に指を通して操作して切断する。凹部６、６にあてがわれた被切断物は、切刃２、２が閉じる動作に従って、多少はさみ１の先端側に移動することもあるが、ストッパ７、７に当接すれば、それ以上先端側に移動することがなく固定状態となるので、被切断物を安定させた状態で切断することができる。
【実施例２】
【００３４】
この発明の他の実施例について図３、図４を参照して説明する。なお、符号については、実施例１と同一の符号を用いた。
【００３５】
図３、図４図示のはさみ１が実施例１のはさみ１と異なる点は、凹部６の形状である。実施例１のはさみ１では、凹部６の形状が柄３の基端側３ａが浅く、先端側３ｂに行くに従って深くなった形状であったのに対し、この実施例のはさみ１では、柄３の基端側３ａが深く、先端側３ｂに行くに従って浅くなった形状とした点である。
【００３６】
このような形状とすると、はさみ１を閉じる際に、切刃２、２が平行に近い状態で移動して近づく。
【００３７】
このため、切刃２、２の開閉に伴って被切断物がはさみ１の先端側へ押し出される作用が規制される。また、実施例１と同様にストッパ７、７も形成されているので被切断物がはさみ１の先端側に押し出されることがあっても、ストッパ７、７により被切断物の移動を規制することができる。
【００３８】
被切断物の性質によっては、このような形状のはさみ１を用いることもできる。
【実施例３】
【００３９】
この発明の他の実施例について、図７に基づいて説明する。
【００４０】
この実施例のはさみ１が実施例１、２のはさみ１と異なる点は、一対の切刃２、２を、被切断物に切刃２、２が接するときに刃側縁部２ａ、２ａ同士が略平行となるように刃側縁部の先端側を屈曲させた点である。凹部６が形成されていない点も実施例１、２とは異なるが、ストッパ７、７が形成されている点は同一である。
【００４１】
図７は、紙のような薄い被切断物を切断する間際の刃側縁部２ａ、２ａを示しており、刃側縁部２ａ、２ａは、略平行状態となっている。
【００４２】
各切刃２、２は、ピン５を支点として回転運動をするので、厳密には切断作業をするときには、刃側縁部２ａ、２ａの傾斜角度は変化することになるが、はさみ１の先端部を使用して切断するような場合には、ほぼ平衡状態を保った状態で、切断することができる。
【００４３】
これにより、切刃の開閉に伴って被切断物がはさみの先端側へ押し出される作用を規制し、効率的に切断することができる。
【００４４】
なお、図７の例では、実施例１、２のはさみとは異なり、凹部６（図１、図３参照）を設けていないが、実施例１、２のように凹部を設け、さらに、刃側縁部が、平行となるように、刃側縁部の先端側を屈曲させることもできる。
【実施例４】
【００４５】
次に、この発明のさらに他の実施例について、図８に基づいて説明する。
【００４６】
図８図示のはさみ１は、一対の切刃２、２（柄３、３）の、一方の切刃２の取り付け柄部に、数珠繋ぎ状に連通する２つのピン穴８ａ、８ｂを設け、他方の切刃２に設けたピン５をピン孔８ａ、８ｂへピン留めする。
【００４７】
ピン５は、連通するピン孔８ａ、８ｂ間を移動可能となっており、このピン５をピン孔８ａ、８ｂ間で行き来させることによって、刃側縁部２ａ、２ａ間の間隔を２段階に調節することができる。
【００４８】
図８（ａ）は、ピン５をピン孔８ａ側に移動させ、刃側縁部２ａ、２ａ間の間隔を広げ、隙間９を形成した状態である。このように刃側縁部２ａ、２ａの間隔を広げ、隙間９を形成すれば、刃側縁部２ａ、２ａの略平衡状態を保つことができ、太さのある被切断物、厚みのある被切断部を切断するときでも、切刃の開閉に伴って被切断物がはさみの先端側へ押し出される作用を規制し、効率的に切断することができる。
【００４９】
図８（ｂ）は、ピン５をピン孔８ｂ側に移動させ、刃側刃部２ａ、２ａ間の間隔を狭めた状態である。被切断物が紙などの薄いものの場合等は、図８（ｂ）図示の状態として、切断することができる。
【００５０】
以上、この発明の好ましい実施例を添付図面を参照して説明したが、この発明はかかる実施例に限定されるものではなく、実用新案登録請求の範囲の記載から把握される技術的範囲において種々な形態に変更可能である。
【００５１】
例えば、はさみの形態は、握りばさみのような形態とすることもできる。
【００５２】
また、実施例１、実施例２では、いずれも、一対の切刃の双方の刃側縁部に凹部を設けているが、図５、図６図示のように一方の切刃の刃側縁部にのみ凹部を設けた構成とすることもできる。
【００５３】
図５、図６の例では、右利きの人が右手ではさみを持ったときに、下側に位置する切刃２にのみ凹部６を設け、切り始める前に、被切断物を凹部６内に載置できるようにした。
【図面の簡単な説明】
【００５４】
【図１】この発明の実施例のはさみの切刃を開いた状態の平面図。
【図２】同じく閉じた状態の平面図。
【図３】同じく他の実施例のはさみの切刃を開いた状態の平面図。
【図４】同じく閉じた状態の平面図。
【図５】同じく他の実施例のはさみの切刃を開いた状態の平面図。
【図６】同じく閉じた状態の平面図。
【図７】同じく他の実施例のはさみの平面図であって、被切断物に切刃が接したときに、被切断物に接する切刃の刃側縁部同士がほぼ平行であることの説明図。
【図８】同じく他の実施例のはさみであって、（ａ）は、切刃の刃側縁部の略平行部分の間隔を広げた状態の平面図、（ｂ）は、切刃の刃側縁部の略平行部分の間隔を狭めた状態の平面図。（ｃ）は、ピン孔８ａ、８ｂを示す一部拡大図。
【符号の説明】
【００５５】
１  はさみ
２  切刃
３  柄
４  把手
５  ピン
６  凹部
７  ストッパ
【図１】
2005152230.tif 000003
【図２】
2005152230.tif 000004
【図３】
2005152230.tif 000005
【図４】
2005152230.tif 000006
【図５】
2005152230.tif 000007
【図６】
2005152230.tif 000008
【図７】
2005152230.tif 000009
【図８】
2005152230.tif 000010